【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
モバイル決済のための方法であって、
第２のモバイルデバイスによって送信された決済情報を受信するステップであって、前記決済情報は、第１のモバイルデバイス識別子情報と、前記第２のモバイルデバイスにおいて現在実行されている決済アプリに対応するアカウントと、前記第１のモバイルデバイス識別子情報に対応する支払金額とを含み、前記第１のモバイルデバイス識別子情報は、第１のモバイルデバイスによって、前記第２のモバイルデバイスへ送信され、前記第１のモバイルデバイスには何らの決済アプリもインストールされていない、ステップ（１０１）と；
前記支払金額を、前記第１のモバイルデバイス識別子情報に対応するアカウントから、前記第２のモバイルデバイスにおいて現在実行されている前記決済アプリに対応する前記アカウントへ送金できるように、前記第１のモバイルデバイス識別子情報に対応するアカウント情報を取得するステップ（１０２）と；を備える、
モバイル決済のための方法。
【請求項２】
第２のモバイルデバイスによって送信された決済情報を受信するステップの前に、
前記第２のモバイルデバイスによって送信されたデバイス認可機能イネーブル化要求情報を受信するステップであって、前記デバイス認可機能イネーブル化要求情報は前記第２のモバイルデバイスのデバイス証明書を含む、ステップ（２０１）と；
前記デバイス証明書が有効であるかどうかを検証するステップ（２０２）と；
前記デバイス証明書が有効である場合、前記第２のモバイルデバイスが検証方法情報に基づいて検証データを取得するように、前記検証方法情報を前記第２のモバイルデバイスへ送信するステップ（２０３）と；を更に備える、
請求項１に記載の方法。
【請求項３】
前記検証方法情報を前記第２のモバイルデバイスへ送信するステップの後に、
前記第２のモバイルデバイスによって送信された前記検証データを受信するステップ（２０４）と；
前記検証データが正しいかどうかを検出するステップ（２０５）と；
前記検証データが正しい場合、前記第２のモバイルデバイスのデバイス認可機能をイネーブル化するステップ（２０６）と；を備える、
請求項２に記載の方法。
【請求項４】
前記第２のモバイルデバイスの前記デバイス認可機能をイネーブル化するステップの後に、
前記第２のモバイルデバイスが前記第２のモバイルデバイスのイネーブル化情報を確認するように、前記イネーブル化情報を前記第２のモバイルデバイスへ送信するステップを更に備える、
請求項３に記載の方法。
【請求項５】
前記デバイス証明書が有効であることが検証された後に、
前記第２のモバイルデバイスに対応するアカウント信用情報を取得するステップであって、前記信用情報は、前記第２のモバイルデバイスの信用を評価するために用いられる、前記第２のモバイルデバイスに対応するアカウント信用情報を取得するステップと；
前記第２のモバイルデバイスに対応する前記アカウント信用情報が所定の閾値を超えるかどうかを検出するステップと；を更に備え、
前記検証方法情報を前記第２のモバイルデバイスへ送信する前記ステップは、
前記第２のモバイルデバイスに対応する前記アカウント信用情報が前記所定の閾値を超える場合、前記検証方法情報を前記第２のモバイルデバイスへ送信するステップを備える、
請求項２に記載の方法。
【請求項６】
前記第２のモバイルデバイスのイネーブル化情報を前記第２のモバイルデバイスへ送信するステップの後に、
前記第２のモバイルデバイスによって送信された第１のモバイルデバイス識別認証情報を受信するステップであって、前記第１のモバイルデバイス識別認証情報は前記第１のモバイルデバイス識別子情報を含む、ステップと；
前記第１のモバイルデバイス識別子情報に対応するトークン情報を生成するステップと；
前記トークン情報を前記第２のモバイルデバイスへ送信するステップと；を更に備える、
請求項４に記載の方法。
【請求項７】
前記第２のモバイルデバイスによって送信される前記決済情報は、更に、前記トークン情報及び前記第１のモバイルデバイスのデバイス証明書を含み、
前記第１のモバイルデバイス識別子情報に対応するアカウント情報を取得する前記ステップの前に、
前記トークン情報及び前記第１のモバイルデバイスの前記デバイス証明書が正しいかどうかを別々に検証するステップを更に備え、
前記第１のモバイルデバイス識別子情報に対応するアカウント情報を取得するステップは、
前記トークン情報及び前記第１のモバイルデバイスの前記デバイス証明書の両方が正しい場合、前記第１のモバイルデバイス識別子情報に対応する前記アカウント情報を取得するステップを備える、
請求項６に記載の方法。
【請求項８】
前記トークン情報及び前記第１のモバイルデバイスの前記デバイス証明書が正しいかどうかを別々に検証するステップの後に、
前記トークン情報と前記第１のモバイルデバイスの前記デバイス証明書とのどちらか一方が正しくないことが検証された場合、前記第１のモバイルデバイスの識別認証失敗プロンプト情報を、前記第２のモバイルデバイスへ送信するステップを更に備える、
請求項７に記載の方法。
【請求項９】
前記トークン情報は、生成された後、設定された時間間隔の間格納され、前記設定された時間間隔後に自動的に削除される、
請求項６乃至請求項８のいずれか１項に記載の方法。
【請求項１０】
前記第１のモバイルデバイス識別子情報は、前記第１のモバイルデバイスの一意のハードウェアコードを含む、
請求項１乃至請求項９のいずれか１項に記載の方法。
【請求項１１】
前記アカウント情報は、前記第１のモバイルデバイスの決済情報履歴に基づいて取得される、
請求項１乃至請求項１０のいずれか１項に記載の方法。
【請求項１２】
請求項１乃至請求項１１のいずれか１項に記載の方法を実行するように構成された、複数のモジュールを備える、
モバイル決済のためのデバイス。
【手続補正２】
【補正対象書類名】明細書
【補正対象項目名】０１６０
【補正方法】変更
【補正の内容】
【０１６０】
上述のものは本願の一実施形態に過ぎず、本願を限定することを意図するものではない。当業者は、本願に様々な修正及び変更を加えることができる。本願の精神及び原理から逸脱せずに為されるあらゆる修正、均等物による代替、改善等は、本願の特許請求の範囲に含まれるものである。
以下、本発明の実施の態様の例を列挙する。
［第１の局面］
モバイル決済の方法であって：
第２のモバイルデバイスによって送信された決済情報を受信するステップであって、前記決済情報は、第１のモバイルデバイス識別子情報と、前記第２のモバイルデバイスにおいて現在実行されている決済アプリに対応するアカウントと、前記第１のモバイルデバイス識別子情報に対応する支払金額とを含み、前記第１のモバイルデバイス識別子情報は、第１のモバイルデバイスによって、前記第２のモバイルデバイスへ送信され、前記第１のモバイルデバイスには何らの決済アプリもインストールされていない、ステップと；
前記支払金額を、前記第１のモバイルデバイス識別子情報に対応するアカウントから、前記第２のモバイルデバイスにおいて現在実行されている前記決済アプリに対応する前記アカウントへ送金できるように、前記第１のモバイルデバイス識別子情報に対応するアカウント情報を取得するステップと；を備える、
モバイル決済の方法。
［第２の局面］
第２のモバイルデバイスによって送信された決済情報を受信する前記ステップの前に：
前記第２のモバイルデバイスによって送信されたデバイス認可機能イネーブル化要求情報を受信するステップであって、前記デバイス認可機能イネーブル化要求情報は前記第２のモバイルデバイスのデバイス証明書を含む、ステップと；
前記デバイス証明書が有効であるかどうかを検証するステップと；
前記デバイス証明書が有効である場合、前記第２のモバイルデバイスが検証方法情報に基づいて検証データを取得するように、前記検証方法情報を前記第２のモバイルデバイスへ送信するステップと；を更に備える、
第１の局面に記載のモバイル決済の方法。
［第３の局面］
前記検証方法情報を前記第２のモバイルデバイスへ送信する前記ステップの後に：
前記第２のモバイルデバイスによって送信された前記検証データを受信するステップと；
前記検証データが正しいかどうかを検出するステップと；
前記検証データが正しい場合、前記第２のモバイルデバイスのデバイス認可機能をイネーブル化するステップと；を備える、
第２の局面に記載のモバイル決済の方法。
［第４の局面］
前記第２のモバイルデバイスのデバイス認可機能をイネーブル化する前記ステップの後に：
前記第２のモバイルデバイスが前記第２のモバイルデバイスのイネーブル化情報を確認するように、前記イネーブル化情報を前記第２のモバイルデバイスへ送信するステップを更に備える、
第３の局面に記載のモバイル決済の方法。
［第５の局面］
前記デバイス証明書が有効であることが検証された後に：
前記第２のモバイルデバイスに対応するアカウント信用情報を取得するステップであって、前記信用情報は、前記第２のモバイルデバイスの信用を評価するために用いられる、前記第２のモバイルデバイスに対応するアカウント信用情報を取得するステップと；
前記第２のモバイルデバイスに対応する前記アカウント信用情報が所定の閾値を超えるかどうかを検出するステップと；を更に備え、
前記検証方法情報を前記第２のモバイルデバイスへ送信する前記ステップは：
前記第２のモバイルデバイスに対応する前記アカウント信用情報が前記所定の閾値を超える場合、前記検証方法情報を前記第２のモバイルデバイスへ送信するステップを備える、
第２の局面に記載のモバイル決済の方法。
［第６の局面］
前記第２のモバイルデバイスのイネーブル化情報を前記第２のモバイルデバイスへ送信する前記ステップの後に：
前記第２のモバイルデバイスによって送信された第１のモバイルデバイス識別認証情報を受信するステップであって、前記第１のモバイルデバイス識別認証情報は前記第１のモバイルデバイス識別子情報を含む、ステップと；
前記第１のモバイルデバイス識別子情報に対応するトークン情報を生成するステップと；
前記トークン情報を前記第２のモバイルデバイスへ送信するステップと；を更に備える、
第４の局面に記載のモバイル決済の方法。
［第７の局面］
前記第２のモバイルデバイスによって送信される前記決済情報は、更に、前記トークン情報及び前記第１のモバイルデバイスのデバイス証明書を含み、
前記第１のモバイルデバイス識別子情報に対応するアカウント情報を取得する前記ステップの前に：
前記トークン情報及び前記第１のモバイルデバイスの前記デバイス証明書が正しいかどうかを別々に検証するステップを更に備え、
前記第１のモバイルデバイス識別子情報に対応するアカウント情報を取得する前記ステップは：
前記トークン情報及び前記第１のモバイルデバイスの前記デバイス証明書の両方が正しい場合、前記第１のモバイルデバイス識別子情報に対応する前記アカウント情報を取得するステップを備える、
第６の局面に記載のモバイル決済の方法。
［第８の局面］
前記トークン情報及び前記第１のモバイルデバイスの前記デバイス証明書が正しいかどうかを別々に検証する前記ステップの後に：
前記トークン情報と前記第１のモバイルデバイスの前記デバイス証明書とのどちらか一方が正しくないことが検証された場合、前記第１のモバイルデバイスの識別認証失敗プロンプト情報を、前記第２のモバイルデバイスへ送信するステップ；を更に備える、
第７の局面に記載のモバイル決済の方法。
［第９の局面］
モバイル決済の方法であって：
第１のモバイルデバイスによって送信された決済要求を受信するステップであって、前記決済要求は第１のモバイルデバイス識別子情報を含み、前記第１のモバイルデバイスには何の決済アプリもインストールされていない、ステップと；
決済情報を第三者サーバへ送信するステップであって、前記決済情報は、前記第１のモバイルデバイス識別子情報と、第２のモバイルデバイスにおいて現在実行されている決済アプリに対応するアカウントと、前記第１のモバイルデバイス識別子情報に対応する支払金額とを含み、その結果、前記第三者サーバは、前記第１のモバイルデバイス識別子情報に対応するアカウント情報を取得し、前記支払金額を、前記第１のモバイルデバイス識別子情報に対応するアカウントから、前記第２のモバイルデバイスにおいて現在実行されている前記決済アプリに対応する前記アカウントへ送金できる、ステップと；を備える、
モバイル決済の方法。
［第１０の局面］
第１のモバイルデバイスによって送信される決済要求を受信する前記ステップの前に：
デバイス認可機能イネーブル化要求情報を前記第三者サーバへ送信するステップであって、前記デバイス認可機能イネーブル化要求情報は、デバイス証明書が有効であるかどうかを前記第三者サーバが検証するよう、前記第２のモバイルデバイスの前記デバイス証明書を含む、ステップと；
前記デバイス証明書が有効であることを前記第三者サーバが検証した場合、前記第三者サーバによって送信された検証方法情報を受信するステップと；
前記検証方法情報に基づいて検証データを取得するステップと；を備える、
第９の局面に記載のモバイル決済の方法。
［第１１の局面］
前記検証方法情報に基づいて検証データを取得する前記ステップの後に：
前記検証データが正しいかどうかを前記第三者サーバが検出するように、前記検証データを前記第三者サーバへ送信するステップと；
前記検証データが正しいことを前記第三者サーバが検出した場合、前記第２のモバイルデバイスのデバイス認可機能イネーブル化の成功を示すための、前記第三者サーバによって送信されたプロンプト情報を受信するステップと；を更に備える、
第１０の局面に記載のモバイル決済の方法。
［第１２の局面］
前記第２のモバイルデバイスのデバイス認可機能イネーブル化の成功を示すための、前記第三者サーバによって送信されたプロンプト情報を受信する前記ステップの後に：
前記第１のモバイルデバイスによって送信された識別認証情報を受信するステップであって、前記識別認証情報は前記第１のモバイルデバイス識別子情報を含む、ステップと；
前記第三者サーバが前記第１のモバイルデバイス識別子情報に対応するトークン情報を生成するように、前記識別認証情報を前記第三者サーバへ転送するステップと；
前記第三者サーバによって送信された前記トークン情報を受信するステップと；を更に備える、
第１１の局面に記載のモバイル決済の方法。
［第１３の局面］
前記決済情報は、前記トークン情報及び前記第１のモバイルデバイスの前記デバイス証明書が正しいかどうかを前記第三者サーバが別々に検証するように、前記トークン情報及び前記第１のモバイルデバイスのデバイス証明書を更に備える、
第１２の局面に記載のモバイル決済の方法。
［第１４の局面］
モバイル決済デバイスであって：
第２のモバイルデバイスによって送信される決済情報を受信するよう構成された受信部であって、前記決済情報は、第１のモバイルデバイス識別子情報と、前記第２のモバイルデバイスにおいて現在実行されている決済アプリに対応するアカウントと、前記第１のモバイルデバイス識別子情報に対応する支払金額とを含み、前記第１のモバイルデバイス識別子情報は、第１のモバイルデバイスによって前記第２のモバイルデバイスへ送信され、前記第１のモバイルデバイスには何らの決済アプリもインストールされていない、受信部と；
前記支払金額を、前記第１のモバイルデバイス識別子情報に対応するアカウントから、前記第２のモバイルデバイスにおいて現在実行されている前記決済アプリに対応する前記アカウントへ送金できるように、前記第１のモバイルデバイス識別子情報に対応するアカウント情報を取得するよう構成された取得部と；を備える、
モバイル決済デバイス。
［第１５の局面］
前記モバイル決済デバイスは、検証部と送信部とを更に備え、
前記受信部は、更に、前記第２のモバイルデバイスによって送信されたデバイス認可機能イネーブル化要求情報を受信するよう構成され、前記デバイス認可機能イネーブル化要求情報は、前記第２のモバイルデバイスのデバイス証明書を含み；
前記検証部は、前記デバイス証明書が有効であるかどうかを検証するよう構成され；
前記送信部は、前記デバイス証明書が有効である場合、前記第２のモバイルデバイスが検証方法情報に基づいて検証データを取得するように、前記検証方法情報を前記第２のモバイルデバイスへ送信するよう構成される；
第１４の局面に記載のモバイル決済デバイス。
［第１６の局面］
前記モバイル決済デバイスは、検出部とイネーブル化部とを更に備え、
前記受信部は、更に、前記第２のモバイルデバイスによって送信された前記検証データを受信するよう構成され；
前記検出部は、前記検証データが正しいかどうかを検出するよう構成され；
前記イネーブル化部は、前記検証データが正しい場合、前記第２のモバイルデバイスのデバイス認可機能をイネーブル化するよう構成される；
第１５の局面に記載のモバイル決済デバイス。
［第１７の局面］
前記送信部は、更に、前記第２のモバイルデバイスがイネーブル化情報を確認するように、前記第２のモバイルデバイスの前記イネーブル化情報を前記第２のモバイルデバイスへ送信するよう構成される、
第１６の局面に記載のモバイル決済デバイス。
［第１８の局面］
前記取得部は、更に、前記第２のモバイルデバイスに対応するアカウント信用情報を取得するよう構成され、前記信用情報は、前記第２のモバイルデバイスの信用を評価するために用いられ；
前記検出部は、更に、前記第２のモバイルデバイスに対応する前記アカウント信用情報が所定の閾値を超えるかどうかを検出するよう構成され；
前記送信部は、前記第２のモバイルデバイスに対応する前記アカウント信用情報が前記所定の閾値を超える場合、前記検証方法情報を前記第２のモバイルデバイスへ送信するよう構成される；
第１６の局面に記載のモバイル決済デバイス。
［第１９の局面］
前記モバイル決済デバイスは生成部を更に備え、
前記受信部は、更に、前記第２のモバイルデバイスによって送信された第１のモバイルデバイス識別認証情報を受信するよう構成され、前記第１のモバイルデバイス識別認証情報は前記第１のモバイルデバイス識別子情報を含み；
前記生成部は、前記第１のモバイルデバイス識別子情報に対応するトークン情報を生成するよう構成され；
前記送信部は、更に、前記トークン情報を前記第２のモバイルデバイスへ送信するよう構成される；
第１７の局面に記載のモバイル決済デバイス。
［第２０の局面］
前記第２のモバイルデバイスによって送信される前記決済情報は、前記トークン情報及び前記第１のモバイルデバイスのデバイス証明書を更に含み；
前記検証部は、更に、前記トークン情報及び前記第１のモバイルデバイスの前記デバイス証明書が正しいかどうかを別々に検証するよう構成され；
前記取得部は、前記トークン情報及び前記第１のモバイルデバイスの前記デバイス証明書の両方が正しい場合、前記第１のモバイルデバイス識別子情報に対応する前記アカウント情報を取得するよう構成される；
第１９の局面に記載のモバイル決済デバイス。
［第２１の局面］
前記送信部は、更に、前記トークン情報又は前記第１のモバイルデバイスの前記デバイス証明書のどちらか一方が正しくないと検証された場合、前記第１のモバイルデバイスの識別認証失敗プロンプト情報を、前記第２のモバイルデバイスへ送信するよう構成される、
第２０の局面に記載のモバイル決済デバイス。
［第２２の局面］
モバイル決済デバイスであって：
第１のモバイルデバイスによって送信された決済要求を受信するよう構成された受信部であって、前記決済要求は第１のモバイルデバイス識別子情報を含み、前記第１のモバイルデバイスには何らの決済アプリもインストールされていない、受信部と；
決済情報を第三者サーバへ送信するよう構成された送信部であって、前記決済情報は、前記第１のモバイルデバイス識別子情報と、第２のモバイルデバイスにおいて現在実行されている決済アプリに対応するアカウントと、前記第１のモバイルデバイス識別子情報に対応する支払金額とを含み、その結果、前記第三者サーバは、前記第１のモバイルデバイス識別子情報に対応するアカウント情報を取得し、前記支払金額を、前記第１のモバイルデバイス識別子情報に対応するアカウントから、前記第２のモバイルデバイスにおいて現在実行されている前記決済アプリに対応する前記アカウントへ送金できる、送信部と；を備える、
モバイル決済デバイス。
［第２３の局面］
取得部を更に備え、
前記送信部は、更に、デバイス認可機能イネーブル化要求情報を前記第三者サーバへ送信するよう構成され、前記デバイス認可機能イネーブル化要求情報は、デバイス証明書が有効であるかどうかを前記第三者サーバが検証するよう、前記第２のモバイルデバイスの前記デバイス証明書を含む；
前記受信部は、更に、前記デバイス証明書が有効であることを前記第三者サーバが検証した場合、前記第三者サーバによって送信される検証方法情報を受信するよう構成され；
前記取得部は、前記検証方法情報に基づいて検証データを取得するよう構成される；
第２２の局面に記載のモバイル決済デバイス。
［第２４の局面］
前記送信部は、更に、前記検証データが正しいかどうかを前記第三者サーバが検出するように、前記検証データを前記第三者サーバへ送信するよう構成され；
前記受信部は、更に、前記検証データが正しいことを前記第三者サーバが検出した場合、前記第２のモバイルデバイスのデバイス認可機能イネーブル化の成功を示すための、前記第三者サーバによって送信されるプロンプト情報を受信するよう構成される；
第２３の局面に記載のモバイル決済デバイス。
［第２５の局面］
前記モバイル決済デバイスは転送部を更に備え、
前記受信部は、更に、前記第１のモバイルデバイスによって送信される識別認証情報を受信するよう構成され、前記識別認証情報は前記第１のモバイルデバイス識別子情報を含み；
前記転送部は、前記第三者サーバが前記第１のモバイルデバイス識別子情報に対応するトークン情報を生成するように、前記識別認証情報を前記第三者サーバへ転送するよう構成され；
前記受信部は、更に、前記第三者サーバによって送信される前記トークン情報を受信するよう構成される；
第２４の局面に記載のモバイル決済デバイス。
［第２６の局面］
前記決済情報は、前記トークン情報及び前記第１のモバイルデバイスのデバイス証明書が正しいかどうかを前記第三者サーバが別々に検証するように、前記トークン情報及び前記第１のモバイルデバイスの前記デバイス証明書を更に含む、
第２５の局面に記載のモバイル決済デバイス。
［第２７の局面］
第１のモバイルデバイスと、第２のモバイルデバイスと、第三者サーバとを備えるモバイル決済システムであって：
前記第１のモバイルデバイスは、決済要求を前記第２のモバイルデバイスへ送信するよう構成され、前記決済要求は前記第１のモバイルデバイス識別子情報を含み、前記第１のモバイルデバイスには何らの決済アプリもインストールされず；
前記第２のモバイルデバイスは、決済情報を前記第三者サーバへ送信するよう構成され、前記決済情報は、前記第１のモバイルデバイス識別子情報と、前記第２のモバイルデバイスにおいて現在実行されている決済アプリに対応するアカウントと、前記第１のモバイルデバイス識別子情報に対応する支払金額とを含み；
前記第三者サーバは、前記支払金額を、前記第１のモバイルデバイス識別子情報に対応するアカウントから、前記第２のモバイルデバイスにおいて現在実行されている前記決済アプリに対応する前記アカウントへ送金できるように、前記第１のモバイルデバイス識別子情報に対応するアカウント情報を取得するよう構成される；
モバイル決済システム。